(57)【要約】【課題】低音域での再生周波数帯域が広く、低音域から高音域まで伸びやかな再生音を再生することができるバスレフ方式のスピーカ装置に最適なスピーカキャビネットを提供する。【解決手段】スピーカキャビネットＣのスピーカユニットが取り付けられるバッフル板１に、スピーカユニットから再生される再生音の低音域を増強するための第１の共振ポート８を形成するとともに、該第１の共振ポート８に加えて、共振周波数が第１の共振ポート８と異なり、かつ、互いに異なる第２の及び第３の共振ポート９、１０を形成した。【選択図】図１
2007184841.tif 000002
【特許請求の範囲】
【請求項１】
スピーカユニットが取り付けられるバッフル板と、該バッフル板の上端に連続した上板と、前記バッフル板の下端に連続した下板と、前記バッフル板の左右端にそれぞれ連続した側板とから構成されるキャビネット本体と、該キャビネット本体の背面開口部を塞ぐ背板とを備え、前記バッフル板が、低音域を増強するための第１の共振ポートを備えたスピーカキャビネットにおいて、
前記バッフル板が、共振周波数が前記第１の共振ポートと異なり、かつ、互いに異なる第２及び第３の共振ポートを備えていることを特徴とするスピーカキャビネット。
【請求項２】
前記第２及び第３の共振ポートが、それぞれ、前記バッフル板に形成された四角形状の開口と、該開口に取り付けられて前記キャビネット本体の内部に延びるダクトとから構成され、前記ダクトの一部が、前記キャビネット本体及び背板の壁面により構成されていることを特徴とする請求項１記載のスピーカキャビネット。
【請求項３】
前記第２及び第３の共振ポートの開口が、並んで構成されるとともに、該並んだ開口の間に仕切板が設けられ、前記第２及び第３の共振ポートのダクトの一部が、前記仕切板の壁面により構成されていることを特徴とする請求項２記載のスピーカキャビネット。
【発明の詳細な説明】
【技術分野】
【０００１】
本発明は、バスレフ方式のスピーカ装置に最適なスピーカキャビネットに関する。
【背景技術】
【０００２】
従来から、本棚等の狭い場所に設置する小型のスピーカ装置として、フルレンジタイプのスピーカユニットを用いたブックシェルフ型のスピーカ装置が知られている。
【０００３】
このスピーカ装置は、装置全体が小型に形成されているので、スピーカキャビネットは勿論のこと、該スピーカキャビネットに取り付けられるフルレンジタイプのスピーカユニットも小型に形成されていて、該スピーカユニットのスピーカコーンの口径も小さく形成されている。一般に、このような小口径のスピーカコーンは、高音の再生には有利であるが、低音の再生には向いていない。
【０００４】
そのために、前記小型のスピーカユニットを有するスピーカ装置では、スピーカユニットが取り付けられたバッフル板と、該バッフル板の上端に連続した上板と、前記バッフル板の下端に連続した下板と、前記バッフル板の左右端にそれぞれ連続した側板とから構成されるキャビネット本体と、該キャビネット本体の背面開口部を塞ぐ背板とからなるスピーカキャビネットのバッフル板に開口を形成し、該開口にキャビネット本体の内部に延びるダクトを取り付けて、１つの共振ポートを形成している。そして、前記共振ポートにより前記スピーカユニットの背面から放射される音を特定の周波数で共振させ、キャビネット本体内を通り共振ポートを通って放射される音の位相を反転させて、スピーカユニットの正面から放射される音の位相に合わせて低音域を増強するようにしたバスレフ方式のスピーカ装置が提案されている。（例えば、特許文献１参照）。
【特許文献１】特開２０００−２１７１７８号公報
【発明の開示】
【発明が解決しようとする課題】
【０００５】
しかしながら、前記バスレフ方式のスピーカ装置では、１つの共振ポートでの共振を利用するためにスピーカ装置の共振周波数が単一となり、そのために、スピーカユニットから再生される音波の一定出力に対して共振周波数帯域の前後の音波の音圧レベルが急激に低くなって、低音域での再生周波数帯域が広いスピーカ装置を得ることが難しいという問題があった。
【０００６】
本発明は、かかる問題を解決することを目的とし、低音域での再生周波数帯域が広く、低音域から高音域まで伸びやかな再生音を再生することができるバスレフ方式のスピーカ装置に最適なスピーカキャビネットを提供することを目的としている。
【課題を解決するための手段】
【０００７】
前記目的を達成するために、請求項１に記載の発明は、スピーカユニットが取り付けられるバッフル板と、該バッフル板の上端に連続した上板と、前記バッフル板の下端に連続した下板と、前記バッフル板の左右端にそれぞれ連続した側板とから構成されるキャビネット本体と、該キャビネット本体の背面開口部を塞ぐ背板とを備え、前記バッフル板が、低音域を増強するための第１の共振ポートを備えたスピーカキャビネットにおいて、前記バッフル板が、共振周波数が前記第１の共振ポートと異なり、かつ、互いに異なる第２及び第３の共振ポートを備えていることを特徴とするスピーカキャビネットである。
【０００８】
請求項２に記載の発明は、請求項１記載の発明において、前記第２及び第３の共振ポートが、それぞれ、前記バッフル板に形成された四角形状の開口と、該開口に取り付けられて前記キャビネット本体の内部に延びるダクトとから構成され、前記ダクトの一部が、前記キャビネット本体及び背板の壁面により構成されていることを特徴とするスピーカキャビネットである。
【０００９】
請求項３に記載の発明は、請求項２記載の発明において、前記第２及び第３の共振ポートの開口が、並んで構成されるとともに、該並んだ開口の間に仕切板が設けられ、前記第２及び第３の共振ポートのダクトの一部が、前記仕切板の壁面により構成されていることを特徴とするスピーカキャビネットである。
【発明の効果】
【００１０】
請求項１に記載された発明によれば、スピーカユニットが取り付けられるバッフル板と、該バッフル板の上端に連続した上板と、前記バッフル板の下端に連続した下板と、前記バッフル板の左右端にそれぞれ連続した側板とから構成されるキャビネット本体と、該キャビネット本体の背面開口部を塞ぐ背板とを備え、前記バッフル板が、低音域を増強するための第１の共振ポートを備えたスピーカキャビネットにおいて、前記バッフル板が、共振周波数が前記第１の共振ポートと異なり、かつ、互いに異なる第２及び第３の共振ポートを備えているので、前記第１の共振ポートでスピーカユニットの背面から放射される音を特定の周波数で共振させ、キャビネット本体内を通り第１の共振ポートを通って放射される音の位相を反転させて、スピーカユニットの正面から放射される音の位相に合わせて、所望の低音域を増強させることができ、また、共振周波数が前記第１の共振ポートと異なり、かつ、互いに異なる第２及び第３の共振ポートにより、該第２及び第３の共振ポートでも、それぞれ、スピーカユニットの背面から放射される音を特定の周波数で共振させて、キャビネット本体内を通り第２及び第３の共振ポートを通って放射される音の位相を反転させて、スピーカユニットの正面から放射される音の位相に合わせて低音域を増強させることができ、そのために、前記第１の共振ポートにより増強された低音域と異なる周波数帯の低音域を増強させることができる。そして、前記第１の共振ポートで低音域が増強された再生音に、前記第２及び第３の共振ポートで第１の共振ポートと異なる低音域が増強された再生音が合成されることにより、第１の共振ポートで増強された低音域の前後の音波の音圧レベルを第２及び第３の共振ポートでコントロールすることができ、そのために、低音域での再生周波数帯域を広くすることができ、低音から高音まで伸びやかな再生音を再生することができるスピーカ装置とすることができる。
【００１１】
また、前記第１、第２及び第３の共振ポートにより、スピーカ装置の低音域の再生音を広範囲にわたって増強させることができるので、小型のスピーカキャビネットでも大型のスピーカ装置並の豊かな低音を再生することができ、しかも、従来のバスレフ方式のスピーカ装置と比べてもより小型のスピーカキャビネットで大型機並の豊かな低音を再生することができ、そのために、スピーカキャビネット全体をより小型に形成することができる。
【００１２】
請求項２に記載された発明によれば、前記第２及び第３の共振ポートが、それぞれ、前記バッフル板に形成された四角形状の開口と、該開口に取り付けられて前記キャビネット本体の内部に延びるダクトとから構成され、前記ダクトの一部が、前記キャビネット本体及び背板の壁面により構成されているので、キャビネット本体の内部に第１の共振ポートとは別に第２及び第３の共振ポートを形成する場合に、該第２及び第３の共振ポートのダクトをキャビネット本体と背板との壁面を利用したキャビネット本体の内部に延びるダクトとして構成することにより、キャビネット本体の内部を複数の区画壁で複雑に加工することなく十分な長さを有するダクトを簡単に形成することができ、ダクトを形成する際の加工コストの高騰を防ぐことができるとともに、小型のスピーカキャビネットであっても十分な有効長を有するダクトを形成することができる。
【００１３】
請求項３に記載された発明によれば、前記第２及び第３の共振ポートの開口が、並んで構成されるとともに、該並んだ開口の間に仕切板が設けられ、前記第２及び第３の共振ポートのダクトの一部が、前記仕切板の壁面により構成されているので、キャビネット本体の下板に平行な水平区画壁と、背板に平行な垂直区画壁とを設けて、キャビネット本体と背板との壁面を利用したバッフル板からキャビネット本体の内部に延びる側面視Ｌ字状のダクト空間を形成し、該ダクト空間を前記仕切板で仕切って仕切板の壁面を利用したダクトとして構成することにより、十分な長さを有するダクトをより簡単に形成することができ、ダクトを形成する際の加工コストの高騰をより防ぐことができるとともに、小型のスピーカキャビネットであっても十分な有効長を有するダクトを形成することができる。
【発明を実施するための最良の形態】
【００１４】
次に、本発明の実施形態を、図面を用いて説明する。図１は、本発明の一実施形態のスピーカキャビネットＣを示す正面図、図２は同背面図、図３及び図４は図１の側断面図である。
【００１５】
スピーカキャビネットＣは、図示しないスピーカユニットが取り付けられるバッフル板と１、該バッフル板１の上端１ａに連続した上板２と、前記バッフル板１の下端１ｂに連続した下板３と、前記バッフル板１の左右端１ｃ、１ｄにそれぞれ連続した側板４、４とから構成されるキャビネット本体５と、該キャビネット本体５の背面開口部５ａを塞ぐ背板６とを備えた縦長の直方体状の箱体として構成されている。前記スピーカキャビネットＣの材料としては、楓、ブナ、白樺などの木材や、海底に沈んでいたサルベージ材などが用いられ、前記スピーカキャビネットＣを形成するには、前記バッフル板１に上板２、下板３及び側板４、４を接着剤などの固着手段で固着してキャビネット本体５を形成し、該キャビネット本体５の背面に螺子や釘などの固着手段によって背板６を着脱可能に取り付けて形成するが、背板６を接着剤などの固着手段でキャビネット本体５に固定的に取り付けて形成するようにしても良い。
【００１６】
前記バッフル板１の正面視上方には、図１に示すように、図示しないスピーカユニットが取り付けられるスピーカ取付孔７が形成され、該スピーカ取付孔７には、例えば、フルレンジタイプのスピーカユニットが取り付けられるようになっている。
【００１７】
前記バッフル板１の前記スピーカ取付孔７の下方には、前記フルレンジタイプのスピーカユニットから再生される再生音の低音域を増強するための第１の共振ポート８が形成されている。該第１の共振ポート８は、図１及び図３に示すように、前記バッフル板１に形成された円形状の開口８ａと、該開口８ａに取り付けられて前記キャビネット本体５の内部に延びる円柱状のダクト８ｂとから構成され、該ダクト８ｂは、前記開口８ａ部分のバッフル板１の背面に塩化ビニル管などの円柱管を接着剤などの固着手段により固着して形成している。なお、前記第１の共振ポート８を、四角形状の開口と、該開口に取り付けられた角柱状のダクトとで構成しても良く、また、２つ以上の開口と、該開口に取り付けられた２つ以上のダクトとから構成するようにしても良い。
【００１８】
前記バッフル板１の正面視下方には、図１に示すよう、第２及び第３の共振ポート９、１０が形成されている。前記バッフル板１には、横長の四角形状の開口１１が形成されて、該開口１１の左右端１１ａ、１１ｂ部分のバッフル板１の背面には、図２に示すようにそれぞれ、キャビネット本体５の下板３に垂直で、前記開口１１の上端１１ｃまでの高さｈ１を有してバッフル板１の背面からキャビネット本体５の内部に延びる水平部１２ａと、該水平部１２ａの延出端部において上方に立ち上がり形成された垂直部１２ｂとから構成されたＬ字状の支持板１２、１２がキャビネット本体５の側板４、４の内壁に密着して取り付けられている。
【００１９】
前記支持板１２、１２の水平部１２ａ、１２ａの間には、前記開口１１の上端１１ｃに沿ってバッフル板１の背面からキャビネット本体５の内部に延びる水平区画壁１３が下板３に平行になるように取り付けられている。また、前記水平区画壁１３の延出端部には、前記背板６から所定距離離れて背板６に平行な垂直区画壁１４が立設されている。これにより、前記キャビネット本体５の内部には、図３に示すように、側面視Ｌ字状のダクト空間１５が形成されている。なお、前記支持板１２、１２を設けずに、キャビネット本体５の側板４、４の間に直接水平区画壁１３を取り付けるようにしても良い。
【００２０】
前記支持板１２、１２の間には、図２及び図３に示すように、支持板１２と同一形状の仕切板１６が設けられている。すなわち、前記仕切板１６は、前記キャビネット本体５の下板３に垂直で、前記開口１１の上端１１ｃまでの高さｈ１を有して前記バッフル板１の背面からキャビネット本体５の内部に延びる水平部１６ａと、該水平部１６ａの延出端部において上方に立ち上がり形成された垂直部１６ｂとから構成されたＬ字状に形成されている。そして、前記仕切板１６により、前記開口１１が２つの開口９ａ、１０ａに仕切られるとともに、前記ダクト空間１５が２つのダクト９ｂ、１０ｂに仕切られて、前記第２及び第３の共振ポート９、１０をそれぞれ構成する開口９ａ、１０ａが形成されるとともに、該開口９ａ、１０ａにそれぞれ取り付けられてキャビネット本体５の内部に延びる角柱状で側面視Ｌ字状のダクト９ｂ、１０ｂが形成されている。
【００２１】
これにより、前記ダクト９ｂ、１０ｂは、キャビネット本体５の下板３、背板６、支持板１２、水平区画壁１３、垂直区画壁１４及び仕切板１６の壁面を利用して形成されるようになっている。なお、前記支持板１２、水平区画壁１３、垂直区画壁１４及び仕切板１６のキャビネット本体５への取り付けは、接着剤などの固着手段で固着して行われる。
【００２２】
後記するように、前記第２及び第３の共振ポート９、１０の開口９ａ、１０ａのうち第２の共振ポート９の開口９ａが第３の共振ポート１０の開口１０ａより横幅が僅かに大きく形成され、第２の共振ポート９のダクト９ｂの長さが第３の共振ポート１０のダクト１０ｂの長さより長く形成されている。このために、前記仕切板１６により仕切られるダクト空間１５を形成する垂直区画壁１４の長さも、前記第２の共振ポート９のダクト９ｂに該当する壁部１４ａが前記第３の共振ポート１０のダクト１０ｂに該当する壁部１４ｂより長く形成されている。
【００２３】
また、前記仕切板１６の前記開口１１に臨む先端部にはテーパ部１６ｃが形成され、前記ダクト空間１５を形成する水平区画壁１３の延出端部にもテーパ部１３ａが形成され、さらに、前記ダクト９ｂ、１０ｂを形成する下板３と背板６との角部にもテーパ部１７ａ、１７ｂが形成されている。
【００２４】
次に、前記第１の共振ポート８と、第２及び第３の共振ポート９、１０とについて説明する。一般に、フルレンジタイプのスピーカユニットを用いた小型のスピーカ装置においては、再生音の低音域を増強するために、スピーカユニットが取り付けられたキャビネット本体のバッフル板に共振ポートを形成し、スピーカユニットの背面から放射される音を特定の周波数で共振させ、キャビネット本体内を通り共振ポートを通って放射される音の位相を反転させて、スピーカユニットの正面から放射される音の位相に合わせるようにしたバスレフ方式のスピーカ装置が採用されている。
【００２５】
前記共振ポートは、バッフル板に形成された開口と該開口に接続されたダクトとから構成されて、前記共振ポートの共振周波数は、スピーカユニットの最低共振周波数ｆ０の近くにチューニングしたものが望ましいと考えられている。また、前記共振ポートの共振周波数は、スピーカキャビネットの内容積と、共振ポートを構成するダクトの断面積と、該ダクトの長さとによって決まり、ダクトの断面積が大きい方が共振周波数が高くなるとともに、ダクトの長さが長い方が共振周波数が低くなることが知られている。さらに、前記ダクトの断面積は、スピーカユニットの振動板面積の１／２が目安となっている。
【００２６】
従って、本発明の第１の共振ポート８は、前記バッフル板１に取り付けられる図示しないフルレンジタイプのスピーカユニットから再生される再生音の低音域を増強するために設けられている。具体的には、前記キャビネット本体５の内容積が９０ｌ、前記第１の共振ポート８を構成する円形状の開口８ａの直径が８２ｍｍ（図１の８Ｒ）、前記開口８ａに接続されたダクト８ｂのバッフル板１の正面からの長さが９３ｍｍ（図３の８Ｌ）に形成されていて、これらの数値は、バッフル板１に取り付けられるスピーカユニットの最低共振周波数ｆ０から決定されている。
【００２７】
本発明においては、前記バッフル板１に、前記第１の共振ポート８に加えて、共振周波数が前記第１の共振ポート８と異なり、かつ、互いに異なる第２の及び第３の共振ポート９、１０が形成されている。本発明者らは、前記第１の共振ポート８で低音域が増強された再生音に、前記第２及び第３の共振ポート９、１０で第１の共振ポート８と異なる低音域が増強された再生音が合成されることにより、第１の共振ポート８で増強された低音域の前後の音波の音圧レベルを第２及び第３の共振ポート９、１０でコントロールすることができ、そのために、スピーカ装置の低音域での再生周波数帯域を広くすることができることを見出して、前記スピーカユニットが取り付けられるバッフル板１に、共振周波数が前記第１の共振ポート８と異なり、かつ、互いに異なる第２の及び第３の共振ポート９、１０を形成したものである。
【００２８】
本発明者らは、前記第１の共振ポート８のダクトの断面積８Ｓに所定の定数（１〜１．３）を乗じたものが前記第２の共振ポート９のダクトの断面積９Ｓと前記第３の共振ポート１０のダクトの断面積１０Ｓとを加算したもので、また、第２の共振ポート９のダクトの断面積９Ｓと第３の共振ポート１０のダクトの断面積１０Ｓとが一定の割合（６：５）であり、該ダクトの断面積９Ｓ、１０Ｓにそれぞれ所定の定数（第２の共振ポート９は１．０９３、第３の共振ポート１０は１．１６９）を乗じると望ましいダクトの長さ９Ｌ、１０Ｌが得られることを見出して、第２の及び第３の共振ポート９、１０を形成した。
【００２９】
また、前記第２の及び第３の共振ポート９、１０を形成する際に、本発明者らは、図１及び図２に示すように、第２及び第３の共振ポート９、１０を、それぞれ、バッフル板１に形成された四角形状の開口９ａ、１０ａと、該開口９ａ、１０ａに取り付けられてキャビネット本体５の内部に延びるダクト９ｂ、１０ｂとで構成し、しかも、第２及び第３の共振ポート９、１０の開口９ａ、１０ａを並んで構成するとともに、該並んだ開口９ａ、１０ａの間に仕切板１６を設けることにより、キャビネット本体５の下板３に平行な水平区画壁１３と、背板６に平行な垂直区画壁１４とを設けて、キャビネット本体５と背板６との壁面を利用したキャビネット本体５の内部に延びる側面視Ｌ字状のダクト空間１５を形成し、該ダクト空間１５を前記仕切板１６で仕切って、キャビネット本体５、背板６及び仕切板１６の壁面を利用した角柱状のダクト９ｂ、１０ｂとして構成することが、キャビネット本体５の内部を複数の区画壁で複雑に加工することなく十分な長さを有するダクトを簡単に形成することができることを見出して、第２及び第３の共振ポート９、１０を形成した。
【００３０】
具体的には、第２の共振ポート９の開口９ａの横幅が８６ｍｍ（図１の９ｗ）、第３の共振ポート１０の開口１０ａの横幅が７１ｍｍ（図１の１０ｗ）、前記開口９ａ、１０ａの高さがともに４３ｍｍ（図１のｈ１）に形成されている。また、前記したように、第２の及び第３の共振ポート９、１０のダクト９ｂ、１０ｂの断面積９Ｓ、１０Ｓ（図２参照）にそれぞれ所定の定数を乗じて得られるダクト９ｂ、１０ｂの各長さ９Ｌ、１０Ｌは、前記ダクト９ｂの長さ９Ｌが４０２ｍｍ（図３の９Ｌ１と９Ｌ２を加算したもの）、前記ダクト１０ｂの長さ１０Ｌが３５９ｍｍ（図４の１０Ｌ１と１０Ｌ２を加算したもの）に形成されている。
【００３１】
本発明においては、スピーカユニットが取り付けられるバッフル板１が、低音域を増強するための第１の共振ポート８に加えて、共振周波数が前記第１の共振ポート８と異なり、かつ、互いに異なる第２及び第３の共振ポート９、１０を備えているので、第１の共振ポート８でスピーカユニットの背面から放射される音を特定の周波数で共振させ、キャビネット本体５内を通り第１の共振ポート８を通って放射される音の位相を反転させて、スピーカユニットの正面から放射される音の位相に合わせて、所望の低音域を増強させることができるだけでなく、共振周波数が第１の共振ポート８と異なり、かつ、互いに異なる第２及び第３の共振ポート９、１０でも、それぞれ、スピーカユニットの背面から放射される音を特定の周波数で共振させて、キャビネット本体５内を通り第２及び第３の共振ポート９、１０を通って放射される音の位相を反転させて、スピーカユニットの正面から放射される音の位相に合わせて低音域を増強させることができ、そのために、第１の共振ポート８により増強された低音域と異なる周波数帯の低音域を増強させることができる。そして、前記第１の共振ポート８で低音域が増強された再生音に、前記第２及び第３の共振ポート９、１０で第１の共振ポート８と異なる低音域が増強された再生音が合成されることにより、第１の共振ポート８で増強された低音域の前後の音波の音圧レベルを第２及び第３の共振ポート９、１０でコントロールすることができ、そのために、低音域での再生周波数帯域を広くすることができ、低音から高音まで伸びやかな再生音を再生することができるスピーカ装置とすることができる。
【００３２】
また、前記第１、第２及び第３の共振ポート８、９、１０により、スピーカ装置の低音域の再生音を広範囲にわたって増強させることができるので、小型のスピーカキャビネットでも大型のスピーカ装置並の豊かな低音を再生することができ、しかも、従来のバスレフ方式のスピーカ装置と比べてもより小型のスピーカキャビネットで大型機並の豊かな低音を再生することができ、そのために、スピーカキャビネット全体をより小型に形成することができる。
【００３３】
本発明においては、前記第２及び第３の共振ポート９、１０が、それぞれ、前記バッフル板１に形成された四角形状の開口９ａ、１０ａと、該開口９ａ、１０ａに取り付けられてキャビネット本体５の内部に延びるダクト９ｂ、１０ｂとから構成され、前記ダクト９ｂ、１０ｂの一部が前記キャビネット本体５及び背板６の壁面により構成されているので、キャビネット本体５の内部に第１の共振ポート８とは別に第２及び第３の共振ポート９、１０を形成する場合に、該第１及び第２の共振ポート９、１０のダクト９ｂ、１０ｂをキャビネット本体５と背板６との壁面を利用したキャビネット本体５の内部に延びるダクトとして構成することにより、キャビネット本体５の内部を複数の区画壁で複雑に加工することなく十分な長さを有するダクトを簡単に形成することができ、ダクトを形成する際の加工コストの高騰を防ぐことができるとともに、小型のスピーカキャビネットであっても十分な有効長を有するダクトを形成することができる。
【００３４】
本発明においては、前記第２及び第３の共振ポート９、１０の開口９ａ、１０ａが並んで構成されるとともに、該並んだ開口９ａ、１０ａの間に仕切板１６が設けられ、前記第２及び第３の共振ポート９、１０のダクト９ｂ、１０ｂの一部が前記仕切板１６の壁面により構成されているので、キャビネット本体５の下板３に平行な水平区画壁１３と、背板６に平行な垂直区画壁１４とを設けて、キャビネット本体５と背板６との壁面を利用したバッフル板１からキャビネット本体５の内部に向けて延びる側面視Ｌ字状のダクト空間１５を形成し、該ダクト空間１５を仕切板１６で仕切って、キャビネット本体５、背板６及び仕切板１６の壁面を利用したダクト９ｂ、１０ｂとして構成することにより、十分な長さを有するダクトをより簡単に形成することができ、ダクトを形成する際の加工コストの高騰をより防ぐことができるとともに、小型のスピーカキャビネットであっても十分な有効長を有するダクトを形成することができる。
【００３５】
なお、本発明は、前記した実施形態に限定されるものではなく、本発明の骨子を逸脱しない範囲で種々変形することができる。すなわち、前記した実施形態では、第２及び第３の共振ポート９、１０を、四角形状の開口９ａ、１０ａと、該開口９ａ、１０ａに取り付けられてキャビネット本体５の内部に延びるダクト９ｂ、１０ｂとで構成したが、前記第２及び第３の共振ポート９、１０を、円形状の開口と該開口に取り付けられたダクトとで構成しても良い。要は、第２及び第３の共振ポート９、１０のダクトの断面積が一定の割合で形成され、該ダクトの断面積に所定の定数を乗じて得られる長さを有するダクトであれば、その形状は問題でない。
【００３６】
また、前記した実施形態では、前記第２及び第３の共振ポート９、１０の開口９ａ、１０ａをバッフル板１の正面視下方に並んで形成したが、これはスピーカキャビネットＣのデザイン上の安定感を得るためと、第２及び第３の共振ポート９、１０のダクト９ｂ、１０ｂをより少ない工数で形成するためであり、前記開口９ａ、１０ａをバッフル板１の上方または側方に形成してもよく、また、前記開口９ａ、１０ａを離して形成してもよい。
【図面の簡単な説明】
【００３７】
【図１】本発明の一実施形態のスピーカキャビネットを示す正面図である。
【図２】図１のスピーカキャビネットの背面図である。
【図３】図１のスピーカキャビネットのＡ−Ａ線側断面図である。
【図４】図１のスピーカキャビネットのＢ−Ｂ線側断面図である。
【符号の説明】
【００３８】
Ｃ  スピーカキャビネット
１  バッフル板
２  上板
３  下板
４  側板
５  キャビネット本体
６  背板
７  スピーカ取付孔
８  第１の共振ポート
８ａ  開口
８ｂ  ダクト
９  第２の共振ポート
９ａ  開口
９ｂ  ダクト
１０  第３の共振ポート
１０ａ  開口
１０ｂ  ダクト
１１  開口
１２  支持板
１２ａ  水平部
１２ｂ  垂直部
１３  水平区画壁
１４  垂直区画壁
１５  ダクト空間
１６  仕切板
１６ａ  水平部
１６ｂ  垂直部
【図１】
2007184841.tif 000003
【図２】
2007184841.tif 000004
【図３】
2007184841.tif 000005
【図４】
2007184841.tif 000006